(57)【要約】【課題】ユーザーの状態を適正に管理して適切に対応することができるユーザー管理システムを提供する。【解決手段】  ユーザーＵの生体情報、環境情報及び動作情報に関するデータを検出する各種センサ２と、該各種センサ２の検出データをユーザーＵが保持する携帯情報端末３に送信する送信機４と、通信回線５０を介して前記携帯情報端末３に接続される管理サーバー５とを備え、該管理サーバー５には、前記携帯情報端末３から送信されたデータに基づいて前記ユーザーＵの管理データを取得する見守り制御部５１と、該見守り制御部５１により取得された前記ユーザーＵの管理データを表示画面７１等に表示させるように制御する表示制御部５２と、予め登録されたクライアント端末７が通信回線５０を介して管理サーバー５に接続された場合に、前記ユーザーの管理データを前記クライアント端末７に提供するデータ提供部５３とが設けられている。【選択図】図１
2019033831.tif 000002
【特許請求の範囲】
【請求項１】
ユーザー生体情報、環境情報及び動作情報に関するデータを検出する各種センサと、
該各種センサの検出データをユーザーが保持する携帯情報端末に送信する送信機と、
通信回線を介して前記携帯情報端末に接続される管理サーバーとを備え、
該管理サーバーには、前記携帯情報端末から送信されたデータに基づいて前記ユーザーの管理データを取得する見守り制御部と、該見守り制御部により取得された前記ユーザーの管理データを表示画面に表示させるように制御する表示制御部と、予め登録されたクライアント端末が通信回線を介して管理サーバーに接続された場合に、前記ユーザーの管理データを前記クライアント端末に提供するデータ提供部とが設けられているユーザー管理システム。
【請求項２】
前記見守り制御部は、複数のユーザーが有する携帯情報端末から送信されたデータに基づいて各ユーザーの管理データを取得し、
前記表示制御部は、前記各ユーザーの管理データを表示画面上に一覧リストで表示させる制御を実行する請求項１記載のユーザー管理システム。
【請求項３】
前記表示制御部は、前記各種センサの検出データに応じて前記ユーザーに異常が生じたと判別された場合に、該ユーザーに異常が生じたことを示すアイコンを前記表示画面に表示させる制御を実行する請求項１又は２記載のユーザー管理システム。
【請求項４】
前記表示制御部は、前記見守り制御部により取得された熱中症危険度判別情報、ＷＢＧＴ（暑さ指数）に基づく熱中症危険度予防情報、ユーザーの転倒判別情報、皮膚表面温度、体温情報、又は帽体外気温情報、帽体外湿度情報、帽体内気温情報、帽体内湿度情報、帽体着脱情報、ユーザーの血流情報、脳波情報、生体情報、位置情報、気圧情報、高度情報、方角情報からなる管理データの少なくとも一つを表示画面に表示させる制御を実行する請求項１〜３の何れか１項に記載のユーザー管理システム。
【請求項５】
前記データ提供部は、前記見守り制御部により前記ユーザーに異常が生じたと判別された場合に、該ユーザーが有する携帯情報端末に異常報知信号を出力する機能を備えている請求項１〜４の何れか１項に記載のユーザー管理システム。
【請求項６】
前記データ提供部は、前記見守り制御部により前記ユーザーに異常が生じたと判別された場合に、該判別情報を予め登録された関係者が有する携帯情報端末に出力する機能を備えている請求項１〜５の何れか１項に記載のユーザー管理システム。
【発明の詳細な説明】
【技術分野】
【０００１】
本発明は、ユーザーの生体情報、環境情報及び動作情報等を検出する各種センサの検出データに基づいてユーザーの状態を管理するユーザー管理システムに関する。
【背景技術】
【０００２】
従来、作業エリア内における複数のユーザー（対象者）の熱中症を前記作業エリア外の管理装置で管理するようにした熱中症検知システムにおいて、この熱中症検知システムは、複数のユーザーそれぞれによって一つずつ保持され、各ユーザーの熱中症を検知する複数の熱中症検知装置と、複数の前記熱中症検知装置と無線通信し、各ユーザーの熱中症を検知するための前記対象者の生体情報に関する閾値、送信に関する周期である送信周期、および、各ユーザーの熱中症の判別に関する周期である判別周期を前記熱中症検知装置に送信する前記管理装置とを備え、前記熱中症検知装置は、各ユーザーの生体情報を取得するセンサと、前記管理装置から受信した前記閾値、前記送信周期および前記判別周期を記憶する記憶手段と、熱中症を前記ユーザーに通知する熱中症通知手段と、前記判別周期で前記センサからユーザーの生体情報を取得し、前記送信周期で前記取得した生体情報を前記管理装置に送信しながら、前記センサから前記生体情報を取得した際に、前記生体情報が前記閾値を超えているか否かを判別し、前記閾値を超えていた場合、前記管理装置に前記ユーザーの熱中症の旨を送信するとともに、前記熱中症通知手段によって前記ユーザーに熱中症を通知する処理手段とを備えた熱中症検知システムが知られている（例えば、特許文献１参照）。
【先行技術文献】
【特許文献】
【０００３】
【特許文献１】特許第４９２２４４７号公報
【発明の概要】
【発明が解決しようとする課題】
【０００４】
上述の従来技術では、作業エリア内におけるユーザーを管理する管理装置を用いた熱中症検知システムにおいて、ユーザーが熱中症の危険性があるか否かを検知し、その危険性をユーザー本人に通知するようにしているため、ユーザーの意識が明確である場合には熱中症に対応させることが可能である。しかし、ユーザーの意識が朦朧としている場合等には、そのユーザー本人に熱中症の危険性があることを通知したとしても、適切な対応を取らせることができないという問題があった。
【０００５】
本発明は、上述の課題に鑑みてなされたものであり、各種センサの検出データに基づいてユーザーの状態を適正に管理し、必要に応じて適切に対応することができるユーザー管理システムを提供することを目的としている。
【課題を解決するための手段】
【０００６】
本発明に係るユーザー管理システムは、ユーザーの生体情報、環境情報及び動作情報に関するデータを検出する各種センサと、該各種センサの検出データをユーザーが保持する携帯情報端末に送信する送信機と、通信回線を介して前記携帯情報端末に接続される管理サーバーとを備え、該管理サーバーには、前記携帯情報端末から送信されたデータに基づいて前記ユーザーの管理データを取得する見守り制御部と、該見守り制御部により取得された前記ユーザーの管理データを表示画面に表示させるように制御する表示制御部と、予め登録されたクライアント端末が通信回線を介して管理サーバーに接続された場合に、前記ユーザーの管理データを前記クライアント端末に提供するデータ提供部とが設けられている。
【０００７】
この構成によれば、各種センサの検出データに応じて、例えばユーザーに熱中症のおそれがある等の異常が生じたと、見守り制御部において判別された場合に、該判別データ等を有するユーザーの管理データがクライアント端末に送信され、このクライアント端末の表示画面に前記ユーザーの管理データが表示されるため、この管理データを見た作業管理者等が、現場監督に電話して対応策を講じるように指示したり、救急病院に電話して救急車の派遣を要請したりすることができるという利点がある。
【０００８】
本発明に係るユーザー管理システムにおいて、前記見守り制御部は、複数のユーザーが有する携帯情報端末から送信されたデータに基づいて各ユーザーの管理データを取得し、前記表示制御部は、前記各ユーザーの管理データを表示画面上に一覧リストで表示させる制御を実行するものであることが好ましい。
【０００９】
この構成によれば、多数のユーザーが作業現場で作業している場合等に、各ユーザーが所属する会社の作業管理者等が表示画面上の管理データを閲覧することにより、各ユーザーの状態をそれぞれ適正に管理し、特定のユーザーに異常が生じた場合に、迅速かつ適切に対応することができる。
【００１０】
また、前記表示制御部は、前記各種センサの検出データに応じて前記ユーザーに異常が生じたと判別された場合に、該ユーザーに異常が生じたことを示すアイコンを前記表示画面に表示させる制御を実行するものであってもよい。
【００１１】
この構成によれば、各種センサの検出データに応じてユーザーに異常が生じたと判別された場合に、該ユーザーの異常を表示画面にアイコンで表示させることにより、管理されるユーザーが多数であっても、特定のユーザーに異常が生じたことを一目で確認することができるため、迅速かつ適切に対応できるという利点がある。
【００１２】
前記表示制御部は、前記見守り制御部により取得された熱中症危険度判別情報、ＷＢＧＴ（暑さ指数）に基づく熱中症危予防情報、ユーザーの事故判別情報、皮膚表面温度情報、又は帽体外気温情報、帽体外湿度情報、帽体内気温情報、帽体内湿度情報、帽体着脱情報、ユーザーの血流情報、脳波情報、生体情報、位置情報、気圧情報、高度情報、方角情報からなる管理データの少なくとも一つを表示画面に表示させる制御を実行するものであってもよい。
【００１３】
この構成によれば、ユーザーに異常が生じたことを示す各種の情報を表示画面に表示させることにより、ユーザーが現在どのような状態にあるかを詳細に判別することができる。
【００１４】
前記データ提供部は、前記見守り制御部により前記ユーザーに異常が生じたと判別された場合に、該ユーザーが有する携帯情報端末に異常報知信号を出力する機能を備えていることが好ましい。
【００１５】
この構成によれば、見守り制御部によりユーザーに異常が生じたと判別された場合に、データ提供部から該ユーザーが有する携帯情報端末に出力された異常報知信号に応じ、ユーザーに異常が生じたことを示すアイコン等を携帯情報端末の表示画面に表示させる等により、ユーザーが危険な状態にあることを本人に対して適正に認識させることができる。
【００１６】
前記データ提供部は、前記見守り制御部により前記異常が生じたと判別された場合に、該判別情報を予め登録された関係者が有する携帯情報端末に出力する機能を備えていることが好ましい。
【００１７】
この構成によれば、見守り制御部により特定のユーザーに異常が生じたと判別された場合に、該判別情報を現場監督、ユーザーの近くにいる他の作業者、ユーザーの家族、担当医師等からなる関係者が有する携帯情報端末に出力することにより、該関係者に特定のユーザーに異常が生じたことが検知又は予測された場合に、これをユーザーの関係者等に報知して適切に対応させることができる。
【発明の効果】
【００１８】
本発明に係るユーザー管理システムによれば、各種センサの検出データに基づいてユーザーの状態を適正に管理し、必要に応じてユーザーの関係者等に適切な対応策を取らせることができる。
【図面の簡単な説明】
【００１９】
【図１】本発明の実施形態に係るユーザー管理システムの構成を示すブロック図である。
【図２】ユーザーが装着するウェアラブル機器の具体例を示す部分断面図である。
【図３】各種センサ及び携帯情報端末等の具体的構成を示すブロック図である。
【図４】表示画面に表示される管理データの一例を示す管理データ図である。
【図５】通常時に携帯情報端末の表示画面に表示される画像の一例を示す画像図である。
【図６】異常発生時に携帯情報端末の表示画面に表示される画像の一例を示す画像図である。
【図７】異常発生時に携帯情報端末の表示画面に表示される画像の他の例を示す画像図である。
【発明を実施するための形態】
【００２０】
以下、本発明に係る実施形態を図面に基づいて説明する。なお、各図において同一の符号を付した構成は、同一の構成であることを示し、その説明を省略する。
【００２１】
図１は、本発明の実施形態に係るに係るユーザー管理システム１の構成を示すブロック図、図２は、ユーザーが装着するウェアラブル機器の具体例を示す部分断面図、図３は、各種センサ２及び携帯情報端末３等の具体的構成を示すブロック図、図４は、表示画面に表示される管理データの一例を示す管理データ図、図５は、通常時に携帯情報端末３の表示画面に表示される画像の一例を示す画像図、図６は、異常発生時に携帯情報端末３の表示画面に表示される画像の一例を示す画像図、図７は、異常発生時に携帯情報端末３の表示画面に表示される画像の他の例を示す画像図である。
【００２２】
本発明に係るユーザー管理システム１は、図１に示すように、ユーザーＵの生体情報、環境情報及び動作情報に関するデータを検出する各種センサ２と、各種センサ２の検出データをユーザーＵが有する携帯情報端末３に送信する送信機４と、インターネット又はイントラネット等からなる通信回線５０を介して前記携帯情報端末３に接続されるＷｅｂサーバー等からなる管理サーバー５と、この管理サーバー５に通信回線５０をして接続されるクライアント端末７とを有している。
【００２３】
各種センサ２は、図２及び図３に示すように、工場や工事現場あるいは山林等で作業する作業者等のユーザーＵが頭部に装着するヘルメット６からなるウェアラブル機器のヘッドバンド６１等に設けられてユーザーＵの額等に接触する電極を有する皮膚表面温度センサ、血流センサ及び脳波センサ等からなる生体情報センサ２１と、ヘルメット６の頭頂部に位置する内部空間等に設けられた温度センサ及び湿度センサ等からなる環境情報センサ２２と、前記ヘルメット６の内部空間において環境情報センサ２２の上方等に配設された加速度センサ及び角速度センサ等からなる動作情報センサ２３とを有している。
【００２４】
送信機４は、ユーザーＵが携帯する携帯情報端末３にデータを送信する近距離用の無線送信機からなり、ヘルメット６の後部又はヘッドバンド６１等に着脱可能に取り付けられた収容部材４０内に収容されている。前記近距離用の無線送信機としては、例えばＢｌｕｅｔｏｏｔｈ（登録商標）や、ＺｉｇＢｅｅ（登録商標）の規格により規定された無線ＰＡＮ、又はＷｉＭＡＸ（登録商標）の規格により規定された無線ＭＡＮ等が用いられる。
【００２５】
前記収容部材４０内には、各種センサ２の検出データに対応したユーザーＵの状態を送信機４から携帯情報端末３に送信するように制御する制御部４２と、この制御部４２及び前記送信機４等に電力を供給するバッテリー４１とが収容されている。このバッテリー４１としては、例えば使い捨てのリチウム乾電池やアルカリ乾電池又は充電式のリチウム電池等からなる各種のバッテリーを採用可能である。特に、ヘルメット６に配設されるバッテリー４１としては、小型のボタン型電池やコイン型電池等が省スペースかつ軽量であるため好適に用いられる。
【００２６】
前記制御部４２は、ユーザーＵの生体情報に関する検出データ及び環境情報に関する検出データの少なくとも一方を、予め定められた一定間隔で送信機４から携帯情報端末３に送信する制御を実行する第一制御部４２１と、ユーザーＵの動作情報に関する検出データに基づいてユーザーＵに異常が生じているか否かを判別するとともに、ユーザーＵに異常が生じていると判別された場合に、この判別情報を送信機４から携帯情報端末３に送信する制御を実行する第二制御部４２２とを有している。
【００２７】
第一制御部４２１は、ユーザーＵの生体情報を検出する生体情報センサ２１の検出データと、環境情報を検出する環境情報センサ２２の検出データとの両方又はその一方を、予め定められた一定間隔、例えば予め設定された一定の時間間隔で、あるいは予め設定された一定の時刻毎に送信機４から携帯情報端末３に送信するように構成されている。
【００２８】
具体的には、生体情報センサ２１により検出されたユーザーＵの脳波、心拍、脈拍数、皮膚表面温度、血流、心電図、筋電、発汗等による生体インピーダンスの変化等からなる生体情報の検出データや、環境情報センサ２２により検出された外気温度及び外部湿度等からなる環境情報の検出データが、例えば１０秒毎、１分毎又は５分毎に第一制御部４２１から送信機４を介して携帯情報端末３に送信されるようになっている。特に、皮膚表面温度や体温からなる生体情報の検出データ、外気温度及び外部湿度等からなる環境情報の検出データについては、熱中症危険度を監視するという観点から、継続して定期的に携帯情報端末３に送信されるのが望ましい。
【００２９】
第二制御部４２２は、ユーザーＵの動作情報を検出する動作情報センサ２３の検出データに基づき、ユーザーＵの動作を逐次監視し、ユーザーＵの動作が通常時とは異なっていると判別された場合に、該判別情報を送信機４から携帯情報端末３に送信するように構成されている。
【００３０】
具体的には、動作情報センサ２３を構成する加速度センサ及び角速度センサにより、例えば１０ミリ秒に設定されたサンプリングタイム内におけるユーザーＵの動作に応じて発生する加速度及び角速度の少なくとも一方を、１０回程度測定し、その平均値が予め設定された閾値を超えているか否かを第二制御部４２２において判別する。そして、第二制御部４２２は、加速度及び角速度の検出データが前記閾値を超えた異常に大きな値である場合に、ユーザーＵが転倒したり、高所から落下したりする等の事故が発生したと判別し、この時点で異常判別信号を送信機４から携帯情報端末３に出力する制御を実行する。
【００３１】
第二制御部４２２は、ユーザーＵに異常が生じたと判別した場合に、動作情報センサ２３により検出された動作情報に関するデータに基づいて、ユーザーＵの危険度合を測定する機能を有している。この測定データは、送信機４から携帯情報端末３に送信されるとともに、携帯情報端末３から通信回線５０を介して管理サーバー５に逐次送信されるように構成されている。
【００３２】
携帯情報端末３は、各ユーザーＵがそれぞれ携帯するスマートフォン、タブレット、携帯用無線機又は携帯型パソコン等からなっている。携帯情報端末３には、前記送信機４の送信データを受信する通信機３１と、タッチパネル等からなる入力部３２と、液晶表示パネル等からなる表示画面３３とが設けられている。
【００３３】
携帯情報端末３の通信機３１は、通信回線５０を介して管理サーバー５との間でデータのやり取りを行う双方向通信機能を有している。また、携帯情報端末３の表示画面３３には、後述するように管理サーバー５の見守り制御部５１又は前記第二制御部４２２においてユーザーＵに異常が生じたと判別された場合に、該ユーザーＵの異常を示すアイコンが表示されるようになっている。
【００３４】
管理サーバー５には、図１に示すように、携帯情報端末３から送信された各種センサ２の検出データ等に基づいてユーザーＵの管理データを取得する見守り制御部５１と、見守り制御部５１が取得した管理データをＷｅｂ画面等からなる表示画面又はクライアント端末７の表示画面７１等に表示させるように制御する表示制御部５２と、見守り制御部５１の取得データをクライアント端末７等に提供するデータ提供部５３とが設けられている。
【００３５】
見守り制御部５１は、複数のユーザーＵが有する携帯情報端末３から送信された前記各種センサ２の検出データ等に基づいて、各ユーザーＵの管理データをそれぞれ取得するように構成されている。例えば、携帯情報端末３を介して送信された各種センサ２の検出データ等に基づき、ユーザーＵの熱中症危険度判別情報、ＷＢＧＴ（暑さ指数）に基づく熱中症危険度予防情報、ユーザーＵが転倒する等の事故判別情報、ユーザーＵの皮膚表面温度情報、もしくは帽体外気温情報、帽体外湿度情報、帽体内気温情報、帽体内湿度情報、帽体着脱情報、又はユーザーＵの血流情報、脳波情報、生体情報、ユーザーＵの現在位置を示す位置情報、気圧情報、高度情報、方角情報等からなる管理データの少なくとも一つが、見守り制御部５１においてユーザーＵ毎に取得されるとともに、図略のメモリに記憶されるようになっている。
【００３６】
なお、前記ＷＢＧＴ（暑さ指数）とは、人体が受ける熱ストレスの大きさを、気温・湿度・風速・輻射熱を考慮して指標化したものであり、この値が大きい場合には、作業やスポーツを休止することが望ましいとされている。
【００３７】
表示制御部５２は、図４に示すように、見守り制御部５１から出力された各ユーザーＵ１〜ＵｎのＩＤデータと、各ユーザーＵ１〜Ｕｎの管理データとを、クライアント端末７の表示画面７１のＩＤ表示部７１１及び管理データ表示部７１２等に、一覧リストで表示させる機能を有している。そして、携帯情報端末３の送信データに基づき、特定のユーザーＵ３が危険な状態にあると見守り制御部５１において判別された場合には、該ユーザーＵ３の管理データとして、感嘆符等からなるアイコンが、リアルタイムで表示画面７１の管理データ表示部７１２等に表示されるようになっている。
【００３８】
また、見守り制御部５１において取得された上述の熱中症危険度判別情報、ＷＢＧＴ（暑さ指数）に基づく熱中症危険度予防情報、ユーザーの事故判別情報、皮膚表面温度情報、又は帽体外気温情報、帽体外湿度情報、帽体内気温情報、帽体内湿度情報、帽体着脱情報、ユーザーの血流情報、脳波情報、生体情報、位置情報、気圧情報、高度情報、方角情報等からなる管理データの少なくとも一つを、表示画面７１等に表示させるように構成してもよい。
【００３９】
見守り制御部５１により取得されたユーザーＵの管理データを、数値化、あるいは色彩グラデーション化して表示画面７１等に表示し、又はピクトグラム等のアイコンもしくは経時グラフを表示画面７１等に表示する制御を、表示制御部５２により実行するようにしてもよい。特に、感嘆符と三角標識を組み合わせた警告マークからなるアイコンを表示画面７１等に表示させるように構成した場合には、特定のユーザーＵが危険である点を直感的に把握することが可能となる。さらに、表示画面７１等に表示されたアイコンの色彩を、緑から黄色、赤へと危険度に応じて変化させることにより、危険性の度合いを表現することも可能である。
【００４０】
なお、見守り制御部５１により取得された管理データと、メモリに記憶された過去のデータとの両方を表示画面７１等に表示し、両者を比較することによりユーザーＵの危険度を適正に判別し得るように構成してもよい。
【００４１】
また、複数の管理データを組み合わせて、ユーザーＵの危険度を算定し、その危険度に対応したアイコンを表示画面７１等に表示させるようにしてもよい。例えば、帽体外気温表示及び帽体外湿度表示に基づいて算出されたＷＢＧＴ（暑さ指数）と、生体情報センサ２１により検出されたユーザーＵの脈拍数等とに基づいてユーザーの危険度合を算出し、この危険度合に対応した警告アイコンを表示画面７１等に表示するようにしてもよい。これにより、表示画面７１等に表示される画像情報が簡略化され、この画像情報に基づいて必要な情報を直感的に把握することが可能となる。
【００４２】
データ提供部５３は、予め登録されたクライアント、例えばユーザーＵの所属会社が所有するパソコン等からなるクライアント端末７が、通信回線５０を介して管理サーバー５に接続された場合に、見守り制御部５１において取得された管理データをクライアント端末７に提供するものである。
【００４３】
また、データ提供部５３は、特定のユーザーＵに異常が生じたと判別された場合、つまりヘルメット６等のウェアラブル機器に設けられた第二制御部４２２によりユーザーＵが転倒もしくは落下する等の事故が発生したと判別され場合、又は生体情報センサ２１及び環境情報センサ２２の検出データに基づいてユーザーＵが熱中症になっている可能性があると見守り制御部５１により判別された場合等に、前記ユーザーＵが有する携帯情報端末３にユーザーＵの異常を報知する異常報知信号を出力する機能を有している。
【００４４】
そして、携帯情報端末３の表示画面３３には、前記異常報知信号に応じてユーザーＵに異常が生じたことを示すアイコン、又は見守り制御部５１等において取得された危険度合を示す測定データの一部又は全部が表示されるようになっている。すなわち、前記異常報知信号に応じて携帯情報端末３の制御部が駆動され、この制御部によりユーザーＵが危険状態にあることを示すアイコンを表示画面３３に表示させる制御が実行される。
【００４５】
例えば、通常時には、図５に示すように、外気温度及び外部湿度等からなる種々の管理情報が携帯情報端末３の表示画面３３に、小さく表示されるように構成されている。そして、ユーザーＵに異常が生じたと判別された場合には、携帯情報端末３の表示画面３３が切り替えられ、図６に示すように、「厳重警戒」という文字、又は図７に示すように感嘆符と三角標識を組み合わせた警告マーク等からなるアイコンが表示画面３３に表示されることにより、ユーザーＵに異常が生じたことが、本人及び周囲の人に報知されるようになっている。
【００４６】
また、携帯情報端末３の表示画面３３に表示されるアイコンの色彩を、ユーザーＵの危険度合に応じて緑から黄色、赤へと変化させるように構成すれば、ユーザーＵの危険度合いを効果的に報知することが可能となる。
【００４７】
管理サーバー５に設けられたデータ提供部５３は、前記第二制御部４２２もしくは見守り制御部５１においてユーザーＵに異常が生じたと判別された場合に、該ユーザーＵ以外の関係者、例えば現場監督、ユーザーＵの近くにいる他の作業者、ユーザーＵの家族、担当医師等が有する携帯情報端末３に前記ユーザーＵの異常を報知する機能を有している。
【００４８】
さらに、ユーザーＵの家族又は知人等からなる関係者が、通信回線５０を介して管理サーバー５に接続し、ユーザーＩＤ及びパスワードを入力した場合に、データ提供部５３がユーザーＵの管理データの全部又は一部を前記関係者に提供するようにしてもよい。この場合、前記ユーザーＩＤ及びパスワードに応じて該当するユーザーＵを判別し、該ユーザーＵの管理データだけを前記関係者に提供し、他のユーザーＵの管理データが提供されないように制限することが好ましい。
【００４９】
このように本発明に係るユーザー管理システム１は、ユーザーＵの生体情報、環境情報及び動作情報に関するデータを検出する各種センサ２と、この各種センサ２の検出データをユーザーＵが保持する携帯情報端末３に送信する送信機４と、通信回線５０を介して前記携帯情報端末３に接続される管理サーバー５とを備え、この管理サーバー５には、携帯情報端末３から送信されたデータに基づいてユーザーＵの管理データを取得する見守り制御部５１と、この見守り制御部５１により取得されたユーザーＵの管理データを表示画面に表示させるように制御する表示制御部５２と、予め登録されたクライアント端末７が通信回線５０を介して管理サーバー５に接続された場合に、前記ユーザーＵの管理データをクライアント端末７に提供するデータ提供部５３とが設けられているため、各種センサ２の検出データに基づいてユーザーＵの状態を適正に管理し、必要に応じて適切な対応させることができる。
【００５０】
例えば、各種センサ２の検出データに応じてユーザーＵが熱中症になっている可能性があると、見守り制御部５１において判別された場合には、該判別情報等からなるユーザーＵの管理データがクライアント端末７に送信され、このクライアント端末７の表示画面に前記ユーザーＵの管理データが表示されるため、この管理データを見たクライアントの作業管理者は、現場監督に電話して適切な対応策を講じるように指示したり、救急病院に電話して救急車の派遣を要請したりすることができる。
【００５１】
また、上述の実施形態では、熱中症等の危険度を監視することが望まれる工場や工事現場あるいは山林等で作業者が着用するヘルメット６に、前記各種センサ２、送信機４、バッテリー４１及び制御部４２を設けたため、前記作業者が熱中症になっているか否か等の異常を容易かつ適正に判別することができる。
【００５２】
なお、本発明に係るユーザー管理システム１は、工場や工事現場あるいは山林等で作業するユーザーＵに限られず、病院等に入院した患者、又は野外でスポーツを楽しむアスリート等からなるユーザーＵを管理するシステムとしても使用可能である。例えば、ユーザーが身に着ける帽子、ヘッドバンド、カチューシャもしくはイアリング等のアクセサリー、アームバンド、腰ベルト、ベルト用固定金具、ネックストラップ、又は時計等からなる各種のウェアラブル機器に、前記各種センサ２、送信機４、バッテリー４１及び制御部４２を取り付けるように構成してもよい。
【００５３】
さらに、前記ウェアラブル機器以外、例えばユーザーＵが操作するフォークリフト等の作業車、又は自家用車のハンドル等であって、ユーザーＵの体の少なくとも一部が常時触れている可能性が高い作業機器又は作業机等に、前記各種センサ２、送信機４、バッテリー４１及び制御部４２設けた構造とすることもできる。
【００５４】
上述の実施形態では、複数のユーザーＵが有する携帯情報端末３から送信されたデータに基づいて各ユーザーＵの管理データを見守り制御部５１において取得し、各ユーザーＵの管理データを表示画面上に一覧リストで表示させる制御（図４参照）を表示制御部５２より実行するように構成したため、多数のユーザーＵが作業現場で作業している場合等に、各ユーザーＵが所属する会社の作業管理者等が表示画面７１上の管理データを閲覧することにより、各ユーザーＵの状態をそれぞれ適正に管理し、特定のユーザーＵに異常が生じた場合に、迅速かつ適切な対応を取ることができる。
【００５５】
特に、図４に示すように、各種センサ２の検出データに応じて特定のユーザーＵ３に異常が生じたと判別された場合に、該ユーザーＵ３の異常を示すアイコンを表示画面７１の管理データ表示部７１２等に表示させる制御を表示制御部５２において実行するように構成した場合には、管理されるユーザーＵが多数であっても、特定のユーザーＵ３に異常が生じたことを一目で確認することができるため、迅速かつ適切に対応できるという利点がある。
【００５６】
また、見守り制御部５１により取得された熱中症危険度判別情報、ＷＢＧＴ（暑さ指数）に基づく熱中症危険度予防情報、ユーザーの事故判別情報、皮膚表面温度情報、又は帽体外気温情報、帽体外湿度情報、帽体内気温情報、帽体内湿度情報、帽体着脱情報、ユーザーの血流情報、脳波情報、生体情報、位置情報、気圧情報、高度情報、方角情報等からなる管理データの少なくとも一つを表示画面７１等に表示させる制御を表示制御部５２において実行するように構成した場合には、ユーザーＵが現在どのような状態にあるかを詳細に判別することが可能である。
【００５７】
なお、ユーザーＵの管理データとして、例えばユーザーＵの氏名、顔写真、性別、年齢、体重、身長、通常の血圧、血液型、所属会社、所属部署、社員番号、現在の業務内容、スケジュール、作業場所、緊急連絡先、緊急時に搬送される病院名、病歴、通院歴、ドナー登録の有無、労災履歴、家族情報等を表示画面７１に表示させることも可能である。
【００５８】
特に、現在の業務内容や作業場所や、緊急連絡先、搬送される病院名、家族の氏名等を表示画面７１等に表示するように構成した場合には、ユーザーＵが危険状態となった時における対応策を迅速かつ適切に講じることができる。また、ユーザーＵの労災履歴、通院歴、病歴、投薬履歴、及び血液型を表示するように構成すれば、ユーザーＵが病院等に搬送された場合に、輸血をスムーズに行うことが可能である等の利点がある。
【００５９】
また、見守り制御部５１によりユーザーＵに異常が生じたと判別された場合に、該ユーザーＵが有する携帯情報端末３に異常報知信号を出力する機能をデータ提供部５３が備えた構成とした場合には、前記異常報知信号に応じてユーザーＵに異常が生じたことを示すアイコン、又はユーザーＵの危険度合を示す測定データの一部又は全部を携帯情報端末３の表示画面３３に表示させることにより、ユーザーＵの状態を本人に対して適正に認識させることができる。
【００６０】
特に、ユーザーＵに異常が生じたと判別された場合に、図６及び図７に示すように、これを警告する文字、又はマーク等からアイコンを携帯情報端末３の表示画面３３に大きく表示させるようにすれば、ユーザーＵに異常が生じていることを本人以外の関係者、例えば周囲の作業者等に対して効果的に報知することができる。また、携帯情報端末３の表示画面３３に表示されるアイコンの色彩等を、ユーザーＵの危険度合に応じて変化させるように構成すれば、危険性の度合いを、ユーザーＵ及び周囲の作業者等に適正に認識させることができる。
【００６１】
なお、前記異常報知信号に応じ、携帯情報端末３に設けられたバイブレータもしくは音声出力装置を作動させ、携帯情報端末３を振動させたり、警告音を発生させたりすることにより、携帯情報端末３が有する機能を有効に活用して、ユーザーＵに異常が生じたことを報知するように構成してもよい。
【００６２】
また、携帯情報端末３のアプリケーションにログイン画面を設け、該携帯情報端末３を所持するユーザーＵが通信回線５０を介して管理サーバー５にアクセスし得るようにしてもよい。また、ヘルメット６等に設けられた送信機４が有する個別の固体識別番号を、携帯情報端末３の記憶装置に入力して記憶させるようにすれば、特定の携帯情報端末３によるアクセスのみを許容するように制限することで混線を防止することができる。しかも、前記携帯情報端末３を使用して再接続する際に、ユーザーＩＤ等を再度入力する操作を不要として、管理サーバー５に対する接続操作を簡略化できるという利点がある。
【００６３】
また、携帯情報端末３が有するＳＤカード等からなる記憶媒体に、前記各種センサ２及び制御部４２等から送信された送信データを蓄積するようにしてもよい。この構成によれば、通信回線５０を使用した携帯情報端末３と管理サーバー５との接続が、通信不良等によって遮断されたとしても、前記記憶媒体の蓄積データを利用することにより、管理サーバー５の記憶装置におけるデータの欠落を防止できる等の利点がある。
【００６４】
上述の実施形態では、見守り制御部５１により特定のユーザーＵに異常が生じたと判別された場合に、該判別情報をデータ提供部５３から前記ユーザーの関係者、例えば現場監督、ユーザーＵの近くにいる他の作業者、ユーザーＵの家族、救急病院の医師等が有する携帯情報端末３に出力するように構成している。このため、特定のユーザーＵに異常が生じたことが検知又は予測された場合に、これを関係者に報知することにより、適切に対応するように促すことができる。
【００６５】
また、管理サーバー５から提供される画像情報にログイン画面を設け、特定の管理者のみにユーザーＩＤとパスワードを与えることにより、閲覧権限を有する者を制限するようにすれば、複数の利用者間におけるデータの干渉を防止できるとともに、本発明に係るユーザー管理システム１のセキュリティを効果的に向上させることができる。
【００６６】
さらに、管理サーバー５の記憶装置に蓄積される各ユーザーＵの管理データ（所謂ビッグデータ）に基づいて、ユーザーＵの転倒や、熱中症等の危険状態を推測し、あるいはユーザーＵの将来における危険状態を予測するように構成することも可能である。
【符号の説明】
【００６７】
１    ユーザー管理システム
２    各種センサ
３    携帯情報端末
４    送信機
５    管理サーバー
６    ヘルメット
７    クライアント端末
２１  生体情報センサ
２２  環境情報センサ
２３  動作情報センサ
３１  通信機
３２  入力部
３３  表示画面
４０  収容部材
４１  バッテリー
４２  制御部
５０  通信回線
５１  見守り制御部
５２  表示制御部
５３  データ提供部
６１  ヘッドバンド
７１  表示画面
４２１  第一制御部
４２２  第二制御部
Ｕ    ユーザー
【図１】
2019033831.tif 000003
【図２】
2019033831.tif 000004
【図３】
2019033831.tif 000005
【図４】
2019033831.tif 000006
【図５】
2019033831.tif 000007
【図６】
2019033831.tif 000008
【図７】
2019033831.tif 000009